(57)【特許請求の範囲】
【請求項１】
無線通信システムにおいて端末が端末間直接（Ｄ２Ｄ）リンク通信のためのディスカバリ信号を送信する方法であって、
第１確率に基づいて、送信リソースのセットで前記ディスカバリ信号を送信するか否か決定するステップと、
前記送信リソースのセットの一つの送信リソースを利用して前記ディスカバリ信号を送信するステップと、
第２確率に基づいて、他の一つの送信リソースのセットで前記ディスカバリ信号を送信するか否か決定するステップと、
前記他の一つの送信リソースのセットの特定送信リソースを利用して前記ディスカバリ信号を送信するステップとを含み、
前記ディスカバリ信号が前記第１確率に基づいて前記送信リソースのセットの前記一つの送信リソースを利用して送信される時、前記第２確率は前記第１確率より小さく、
前記ディスカバリ信号の連続送信が送信リソースのセットの所定数で発生する時、前記ディスカバリ信号の送信は、送信リソースのセットの前記所定数の次の送信リソースのセットで禁止される、方法。
【請求項２】
前記特定送信リソースの時間インデックスは前記一つの送信リソースの時間インデックスと所定の値異なる、請求項１に記載の方法。
【請求項３】
前記送信リソースのセットと前記他の一つの送信リソースのセットに含まれる送信リソースの数は素数である、請求項１に記載の方法。
【請求項４】
無線通信システムにおいて端末が端末間直接（Ｄ２Ｄ）通信を実行する端末（ＵＥ）であって、
基地局又は前記Ｄ２Ｄ通信におけるターゲット端末（ＵＥ）と信号を送受信する無線通信モジュールと、
前記信号を処理するプロセッサと、
を備え、
前記プロセッサは、第１確率に基づいて送信リソースのセットでディスカバリ信号を送信するか否か決定し、前記送信リソースのセットの一つの送信リソースを利用して前記ディスカバリ信号を送信し、第２確率に基づいて他の一つの送信リソースのセットで前記ディスカバリ信号を送信するか否かを決定し、前記他の一つの送信リソースのセットの特定送信リソースを利用して前記ディスカバリ信号を送信し、
前記ディスカバリ信号が前記第１確率に基づいて前記送信リソースのセットの前記一つの送信リソースを利用して送信される時、前記第２確率は前記第１確率より小さく、
前記ディスカバリ信号の連続送信が送信リソースのセットの所定数で発生する時、前記ディスカバリ信号の送信は、送信リソースのセットの前記所定数の次の送信リソースのセットで禁止される、端末。
【請求項５】
前記特定送信リソースの時間インデックスは前記一つの送信リソースの時間インデックスと所定の値異なる、請求項４に記載の端末。
【請求項６】
前記送信リソースのセットと前記他の一つの送信リソースのセットに含まれる送信リソースの数は素数である、請求項４に記載の端末装置。
【発明の詳細な説明】
【技術分野】
【０００１】
本発明は、無線通信システムに関し、特に、無線通信システムにおいて端末間直接通信のための端末検出信号送信方法及びそのための装置に関する。
【背景技術】
【０００２】
本発明を適用し得る無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容についてはそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に対して下り又は上り送信サービスを提供する。異なったセルは互いに異なった帯域幅を提供するように設定することができる。基地局は、複数の端末に関するデータ送受信を制御する。下りリンク（Ｄｏｗｎｌｉｎｋ；ＤＬ）データについて、基地局は下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
上述した議論に基づき、以下では、無線通信システムにおいて端末間直接通信のための端末検出信号送信方法及びそのための装置を提案する。
【課題を解決するための手段】
【０００８】
本発明の一態様である、無線通信システムにおいて端末が端末間直接通信のためのディスカバリー（Ｄｉｓｃｏｖｅｒｙ）信号を送受信する方法は、第１の時間単位に含まれた第１のサブ時間単位で前記ディスカバリー信号を送信するステップと、第２の時間単位に含まれた第２のサブ時間単位で前記ディスカバリー信号を送信するステップと、を含み、前記時間単位は、複数のサブ時間単位で構成され、前記第２のサブ時間単位は、前記第１のサブ時間単位から所定大きさのサブ時間単位だけインデックスが遷移（ｓｈｉｆｔ）したことを特徴とする。
【０００９】
ここで、前記所定大きさのサブ時間単位は、一つの時間単位内に含まれた前記サブ時間単位の個数に基づいて決定され、好ましくは、前記サブ時間単位の個数と互いに素である自然数のうち一つであることを特徴とする。
【００１０】
より好ましくは、前記所定大きさのサブ時間単位が、前記端末の属した端末グループのインデックスを、前記端末グループに含まれた端末の個数で割った余りの値と決定されてもよく、ここで、前記端末グループは、一つのサブ時間単位で同時に前記ディスカバリー信号を送信する端末の集合であることを特徴とする。
【００１１】
具体的には、前記ディスカバリー信号が送信されるサブ時間単位のインデックスｎは、下記の式Ａによって表現されることを特徴とする。
【００１２】
【数１】
0006352255.tif 000002
【００１３】
（ただし、ｌは前記端末グループのインデックスを、Ｒは前記端末グループに含まれた端末の個数を、ｋは前記時間単位のインデックスを、Ｎは一つの時間単位に含まれたサブ時間単位の個数を表す。）また、前記一つの時間単位に含まれたサブ時間単位の個数Ｎは、素数（ｐｒｉｍｅ  ｎｕｍｂｅｒ）であることを特徴とする。
【００１４】
一方、本発明の他の態様である、無線通信システムにおいて端末間直接通信を行う端末装置は、基地局又は前記端末間直接通信の相手の端末装置と信号を送受信するための無線通信モジュールと、前記信号を処理するためのプロセッサと、を備え、前記プロセッサは、第１の時間単位に含まれた第１のサブ時間単位で前記ディスカバリー信号を送信し、第２の時間単位に含まれた第２のサブ時間単位で前記ディスカバリー信号を送信するように前記無線通信モジュールを制御し、前記時間単位は、複数のサブ時間単位で構成され、前記第２のサブ時間単位は、前記第１のサブ時間単位から所定大きさのサブ時間単位だけインデックスが遷移（ｓｈｉｆｔ）したことを特徴とする。
【発明の効果】
【００１５】
本発明の実施例によれば、無線通信システムにおいて端末間直接通信のために端末検出信号をより効率的に送受信することができる。
【００１６】
本発明で得られる効果は、以上に言及した効果に制限されず、言及していない別の効果は、以下の記載から、本発明の属する技術の分野における通常の知識を有する者には明確に理解されるであろう。
【図面の簡単な説明】
【００１７】
【図１】は、無線通信システムの一例としてＥ−ＵＭＴＳネットワーク構造を概略的に示す図である。
【図２】は、３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を示す図である。
【図３】は、３ＧＰＰシステムに用いられる物理チャネル及びそれらを用いた一般の信号送信方法を説明するための図である。
【図４】は、ＬＴＥシステムにおいて用いられる下りリンク無線フレームの構造を例示する図である。
【図５】は、ＬＴＥシステムで用いられる上りリンクサブフレームの構造を示す図である。
【図６】は、端末間直接通信を示す概念図である。
【図７】は、本発明の実施例によってディスカバリー信号送信の用途に周期的に割り当てられたリソースの例を示す図であるる。
【図８】は、本発明の実施例によってディスカバリー信号送信の用途に周期的に割り当てられたリソースの他の例を示す図である。
【図９】は、本発明の実施例によって一つのディスカバリーサブフレームの時間領域を複数のディスカバリーパートに分割した例を示す図である。
【図１０】は、本発明の実施例によって複数のＵＥにディスカバリー信号の送受信時点をランダムに割り当てた例を示す図である。
【図１１】は、本発明の実施例によってディスカバリーサブフレーム及びディスカバリーパートで構成される二重リソース構造を例示する図である。
【図１２】は、本発明の実施例によってディスカバリー信号の送信動作を行う例を示す図である。
【図１３】は、本発明の実施例によってディスカバリー信号の送信動作を行う他の例を示す図である。
【図１４】は、本発明の実施例によってディスカバリー信号を送信する方法を説明する図である。
【図１５】は、本発明の実施例によってディスカバリー信号を送信する方法を説明する他の図である。
【図１６】は、本発明の実施例によってディスカバリー信号を送信する方法を説明する更に他の図である。
【図１７】は、本発明の実施例に係る通信装置のブロック構成図である。
【発明を実施するための形態】
【００１８】
以下に添付の図面を参照して説明される本発明の実施例から、本発明の構成、作用及び他の特徴が容易に理解されるであろう。以下に説明する実施例は、本発明の技術的特徴が３ＧＰＰシステムに適用された例である。
【００１９】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また、本明細書は、ＦＤＤ（Ｆｒｅｑｕｅｎｃｙ  Ｄｉｖｉｓｉｏｎ  Ｄｕｐｌｅｘ）方式を基準にして本発明の実施例について説明するが、これは例示に過ぎず、本発明の実施例は、Ｈ−ＦＤＤ（Ｈｙｂｒｉｄ−ＦＤＤ）方式又はＴＤＤ（Ｔｉｍｅ  Ｄｉｖｉｓｉｏｎ  Ｄｕｐｌｅｘ）方式にも容易に変形して適用されてもよい。
【００２０】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン及びユーザプレーンの構造を示す図である。コントロールプレーンとは、端末（ＵＥ）とネットワークとが呼を管理するために用いる制御メッセージが送信される通路のことを意味する。ユーザプレーンとは、アプリケーション層で生成されたデータ、例えば、音声データ又はインターネットパケットデータなどが送信される通路のことを意味する。
【００２１】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。該伝送チャネルを介して媒体接続制御層と物理層との間にデータが移動する。送信側の物理層と受信側の物理層との間には物理チャネルを介してデータが移動する。該物理チャネルは、時間及び周波数を無線リソースとして活用する。具体的には、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２２】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ送信を支援する。ＲＬＣ層の機能はＭＡＣ内部の機能ブロックとして具現されてもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために、余分の制御情報を減らすヘッダー圧縮（Ｈｅａｄｅｒ  Ｃｏｍｐｒｅｓｓｉｏｎ）機能を果たす。
【００２３】
第３層の最下部に位置する無線リソース制御（Ｒａｄｉｏ  Ｒｅｓｏｕｒｃｅ  Ｃｏｎｔｒｏｌ；ＲＲＣ）層は、コントロールプレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して、論理チャネル、伝送チャネル及び物理チャネルの制御を担当する。無線ベアラー（ＲＢ）とは、端末とネットワーク間のデータ伝達のために第２層によって提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続（ＲＲＣ  Ｃｏｎｎｅｃｔｅｄ）がある場合に、端末はＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にあることとなる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２４】
基地局（ｅＮＢ）を構成する一つのセルは、１．４、３、５、１０、１５、２０ＭＨｚなどの帯域幅のいずれか一つに設定され、複数の端末に対して下り又は上り送信サービスを提供する。異なったセルは互いに異なった帯域幅を提供するように設定することができる。
【００２５】
ネットワークから端末にデータを送信する下り伝送チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージは、下りＳＣＨを介して送信されてもよく、別の下りＭＣＨ（Ｍｕｌｔｉｃａｓｔ  Ｃｈａｎｎｅｌ）を介して送信されてもよい。一方、端末からネットワークにデータを送信する上り伝送チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に存在し、伝送チャネルにマップされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２６】
図３は、３ＧＰＰシステムに用いられる物理チャネル及びこれらのチャネルを用いた一般の信号送信方法を説明するための図である。
【００２７】
端末は、電源が入ったり、新しくセルに進入したりした場合に、基地局と同期を取る等の初期セル探索（Ｉｎｉｔｉａｌ  ｃｅｌｌ  ｓｅａｒｃｈ）作業を行う（Ｓ３０１）。そのために、端末は、基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を取り、セルＩＤなどの情報を取得することができる。その後、端末は、基地局から物理放送チャネル（Ｐｈｙｓｉｃａｌ  Ｂｒｏａｄｃａｓｔ  Ｃｈａｎｎｅｌ）を受信し、セル内放送情報を取得することができる。一方、端末は、初期セル探索段階で、下りリンク参照信号（Ｄｏｗｎｌｉｎｋ  Ｒｅｆｅｒｅｎｃｅ  Ｓｉｇｎａｌ；ＤＬ ＲＳ）を受信し、下りリンクチャネル状態を確認することができる。
【００２８】
初期セル探索を終えた端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、及び該ＰＤＣＣＨに載せられた情報に基づいて物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を取得することができる（Ｓ３０２）。
【００２９】
一方、基地局に初めて接続したり信号送信のための無線リソースがない場合には、端末は、基地局にランダムアクセス手順（Ｒａｎｄｏｍ  Ａｃｃｅｓｓ  Ｐｒｏｃｅｄｕｒｅ；ＲＡＣＨ）を行うことができる（Ｓ３０３乃至Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を介して特定シーケンスをプリアンブルとして送信し（Ｓ３０３及びＳ３０５）、ＰＤＣＣＨ及び対応するＰＤＳＣＨを介して、プリアンブルに対する応答メッセージを受信することができる（Ｓ３０４及びＳ３０６）。競合ベースのＲＡＣＨについては、衝突解決手順（Ｃｏｎｔｅｎｔｉｏｎ  Ｒｅｓｏｌｕｔｉｏｎ  Ｐｒｏｃｅｄｕｒｅ）をさらに行ってもよい。
【００３０】
上述の手順を行った端末は、以降、一般的な上りリンク／下りリンク信号送信手順として、ＰＤＣＣＨ／ＰＤＳＣＨ受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）送信（Ｓ３０８）を行うことができる。特に、端末はＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割当情報のような制御情報を含み、その使用目的によってフォーマットが互いに異なる。
【００３１】
一方、端末が上りリンクを介して基地局に送信する又は端末が基地局から受信する制御情報は、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムでは、端末は、これらのＣＱＩ／ＰＭＩ／ＲＩなどの制御情報をＰＵＳＣＨ及び／又はＰＵＣＣＨを介して送信することができる。
【００３２】
図４は、下りリンク無線フレームにおいて一つのサブフレームの制御領域に含まれる制御チャネルを例示する図である。
【００３３】
図４を参照すると、サブフレームは１４個のＯＦＤＭシンボルで構成されている。サブフレーム設定によって先頭における１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する参照信号（Ｒｅｆｅｒｅｎｃｅ  Ｓｉｇｎａｌ（ＲＳ）、又はＰｉｌｏｔ  Ｓｉｇｎａｌ）を表す。ＲＳは、制御領域及びデータ領域を問わず、サブフレーム内に一定のパターンで固定される。制御チャネルは、制御領域においてＲＳの割り当てられないリソースに割り当てられ、トラフィックチャネルも、データ領域においてＲＳの割り当てられないリソースに割り当てられる。制御領域に割り当てられる制御チャネルとしては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００３４】
ＰＣＦＩＣＨは、物理制御フォーマット指示子チャネルで、毎サブフレームごとにＰＤＣＣＨに用いられるＯＦＤＭシンボルの個数を端末に知らせる。ＰＣＦＩＣＨは、先頭のＯＦＤＭシンボルに位置し、ＰＨＩＣＨ及びＰＤＣＣＨに優先して設定される。ＰＣＦＩＣＨは、４個のＲＥＧ（Ｒｅｓｏｕｒｃｅ  Ｅｌｅｍｅｎｔ  Ｇｒｏｕｐ）で構成され、それぞれのＲＥＧは、セルＩＤ（Ｃｅｌｌ  ＩＤｅｎｔｉｔｙ）に基づいて制御領域内に分散される。１個のＲＥＧは４個のＲＥ（Ｒｅｓｏｕｒｃｅ  Ｅｌｅｍｅｎｔ）で構成される。ＲＥは、１個の副搬送波×１個のＯＦＤＭシンボルで定義される最小物理リソースのことを指す。ＰＣＦＩＣＨ値は帯域幅によって、１乃至３、又は２乃至４の値を示し、ＱＰＳＫ（Ｑｕａｄｒａｔｕｒｅ  Ｐｈａｓｅ  Ｓｈｉｆｔ  Ｋｅｙｉｎｇ）で変調される。
【００３５】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルで、上りリンク送信に対するＨＡＲＱ ＡＣＫ／ＮＡＣＫを運ぶために用いられる。すなわち、ＰＨＩＣＨは、ＵＬ ＨＡＲＱのためのＤＬ ＡＣＫ／ＮＡＣＫ情報が送信されるチャネルのことを指す。ＰＨＩＣＨは、１個のＲＥＧで構成され、セル特定（ｃｅｌｌ−ｓｐｅｃｉｆｉｃ）にスクランブル（ｓｃｒａｍｂｌｉｎｇ）される。ＡＣＫ／ＮＡＣＫは１ビットで示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは、拡散因子（Ｓｐｒｅａｄｉｎｇ  Ｆａｃｔｏｒ；ＳＦ）＝２又は４で拡散される。同一のリソースにマップされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は、周波数領域及び／又は時間領域においてダイバーシティ利得を得るために３回反復（ｒｅｐｅｔｉｔｉｏｎ）される。
【００３６】
ＰＤＣＣＨは、物理下りリンク制御チャネルで、サブフレームの先頭におけるｎ個のＯＦＤＭシンボルに割り当てられる。ここで、ｎは、１以上の整数であり、ＰＣＦＩＣＨによって指示される。ＰＤＣＣＨは、１個以上のＣＣＥ（Ｃｏｎｔｒｏｌ  Ｃｈａｎｎｅｌ  Ｅｌｅｍｅｎｔ）で構成される。ＰＤＣＣＨは、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割当に関する情報、上りリンクスケジューリンググラント（Ｕｐｌｉｎｋ  Ｓｃｈｅｄｕｌｉｎｇ  Ｇｒａｎｔ）、ＨＡＲＱ情報などを、各端末又は端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。したがって、基地局と端末は一般に、特定の制御情報又は特定のサービスデータ以外はＰＤＳＣＨを介してそれぞれ送信及び受信する。
【００３７】
ＰＤＳＣＨのデータがいずれの端末（１つ又は複数の端末）に送信されるものであるか、それら端末がどのようにＰＤＳＣＨデータを受信してデコーディング（ｄｅｃｏｄｉｎｇ）をすべきかに関する情報などは、ＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスクされており、「Ｂ」という無線リソース（例、周波数位置）及び「Ｃ」という伝送形式情報（例、伝送ブロックサイズ、変調方式、コーディング情報など）を用いて送信されるデータに関する情報が特定サブフレームにおいて送信されるとしよう。この場合、セル内の端末は、自身が持っているＲＮＴＩ情報を用いてＰＤＣＣＨをモニタし、「Ａ」のＲＮＴＩを持つ一つ以上の端末があると、それらの端末は、ＰＤＣＣＨを受信し、受信したＰＤＣＣＨの情報に基づき、「Ｂ」と「Ｃ」によって指定されるＰＤＳＣＨを受信する。
【００３８】
下りリンク制御チャネルの基本リソース単位はＲＥＧ（Ｒｅｓｏｕｒｃｅ  Ｅｌｅｍｅｎｔ  Ｇｒｏｕｐ）である。ＲＥＧは、ＲＳを除く状態で４個の隣接したリソース要素（ＲＥ）で構成される。ＰＣＦＩＣＨ及びＰＨＩＣＨはそれぞれ４個のＲＥＧ及び３個のＲＥＧを含む。ＰＤＣＣＨはＣＣＥ（Ｃｏｎｔｒｏｌ  Ｃｈａｎｎｅｌ  Ｅｌｅｍｅｎｔｓ）単位で構成され、一つのＣＣＥは９個のＲＥＧを含む。
【００３９】
図５は、ＬＴＥシステムにおいて用いられる上りリンクサブフレームの構造を示す図である。
【００４０】
図５を参照すると、上りリンクサブフレームは、制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）が割り当てられる領域と、ユーザデータを運ぶＰＵＳＣＨ（Ｐｈｙｓｉｃａｌ  Ｕｐｌｉｎｋ  Ｓｈａｒｅｄ  ＣＨａｎｎｅｌ）が割り当てられる領域とに区別される。サブフレームの中間部分がＰＵＳＣＨに割り当てられ、周波数領域においてデータ領域の両側部がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ（Ｃｈａｎｎｅｌ  Ｑｕａｌｉｔｙ  Ｉｎｄｉｃａｔｏｒ）、ＭＩＭＯのためのＲＩ（Ｒａｎｋ  Ｉｎｄｉｃａｔｏｒ）、上りリンクリソース割当要求であるＳＲ（Ｓｃｈｅｄｕｌｉｎｇ  Ｒｅｑｕｅｓｔ）などがある。ある端末のＰＵＣＣＨは、サブフレーム内の各スロットにおいて互いに異なった周波数を占める一つのリソースブロックを使用する。すなわち、ＰＵＣＣＨに割り当てられる２個のリソースブロックはスロットを境界に周波数ホッピング（ｆｒｅｑｕｅｎｃｙ  ｈｏｐｐｉｎｇ）する。特に、図５では、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられる例を示す。
【００４１】
図６は、端末間直接通信を示す概念図である。
【００４２】
図６を参照すると、ＵＥが他のＵＥと直接無線通信を行うＤ２Ｄ（ｄｅｖｉｃｅ−ｔｏ−ｄｅｖｉｃｅ）通信、すなわち、端末間直接通信では、ｅＮＢがＤ２Ｄ送受信を指示するためのスケジューリングメッセージを送信することができる。Ｄ２Ｄ通信に参加するＵＥは、ｅＮＢからＤ２Ｄスケジューリングメッセージを受信し、Ｄ２Ｄスケジューリングメッセージが示す送受信動作を行う。
【００４３】
本発明では、図６に示すように、ＵＥが他のＵＥと直接無線チャネルを用いて端末間直接通信を行うとき、通信の相手となるＵＥを検出する方法を提案する。ここで、ＵＥはユーザの端末を意味するが、ｅＮＢのようなネットワークエンティティがＵＥ間の通信方式によって信号を送受信する場合には、それも一種のＵＥと見なすことができる。
【００４４】
図６で説明するように、ＵＥが直接通信を行うためには、相手のＵＥが直接通信可能な領域に存在するかをまず把握しなければならない。このように相手のＵＥが近接しているか否かを判断する過程を、端末ディスカバリー（ｄｅｖｉｃｅ  ｄｉｓｃｏｖｅｒｙ）又は端末検出（ｄｅｖｉｃｅ  ｄｅｔｅｃｔｉｏｎ）と称する。このような端末ディスカバリーは、一般に、あるＵＥが特定の信号を送信し、これを他のＵＥが検出する形態で行われ、ディスカバリーのためにＵＥが送信して検出する信号を、ディスカバリー信号（ｄｉｓｃｏｖｅｒｙ  ｓｉｇｎａｌ）と称する。
【００４５】
このディスカバリー信号は、既存のセルラー（ｃｅｌｌｕｌａｒ）通信のために定義された各種信号、例えば、３ＧＰＰ ＬＴＥシステムにおいてＰＲＡＣＨ（Ｐｈｙｓｉｃａｌ  Ｒａｎｄｏｍ  Ａｃｃｅｓｓ  ＣＨａｎｎｅｌ）プリアンブル、ＰＵＳＣＨ復調のためのＤＭ（ｄｅｍｏｄｕｌａｔｉｏｎ）−ＲＳ（Ｒｅｆｅｒｅｎｃｅ  Ｓｉｇｎａｌ）、或いはＣＳＩ（ｃｈａｎｎｅｌ  ｓｔａｔｅ  ｉｎｆｏｒｍａｔｉｏｎ）取得のためにＵＥが送信するサウンディングＲＳなどを再使用することもでき、或いはディスカバリーの目的に一層最適化した新しい形態の信号を使用することもできる。ディスカバリー信号の送受信動作は、無線ネットワーク内の他のリンク又は他のチャネルに干渉として作用すると同時に、送受信に参加するＵＥの動作、例えば、ｅＮＢとの通信に制約を与えることがあるため、ｅＮＢの管理下でディスカバリー動作が行われることが好ましい。例えば、ｅＮＢが適切な制御信号を用いて、特定ＵＥ（以下、ＵＥ＃１）にディスカバリー信号の送信を指示し、他のＵＥ（以下、ＵＥ＃２）に当該ディスカバリー信号の受信を指示する形態で端末検出が行われるようにすることができる。該ディスカバリー信号の送受信動作は、周期的形態と非周期的形態とに区別できる。
【００４６】
まず、周期的形態のディスカバリー信号は、ＵＥ＃１が周期的にディスカバリー信号を送信し、これを把握したＵＥ＃２が、当該送信時点に合わせてＵＥ＃１のディスカバリー信号を検出する形態で端末検出を行うときに用いられる。周期的形態のディスカバリー信号は、一般に、ＵＥ＃１が多量のデータをＵＥ＃２に直接送信しようとする場合や、広告のように、ＵＥ＃１が不特定多数のＵＥ＃２に信号を送信しようとする場合に適した方式である。
【００４７】
一方、非周期的形態のディスカバリー信号の場合は、ＵＥ＃１はｅＮＢから指示された特定時点のみに、特に、ＰＤＣＣＨのような物理層制御信号を通して指示された場合のみにディスカバリー信号を送信するため、ディスカバリー信号検出が可能になるには、ｅＮＢがＵＥ＃２に当該信号の送信される時点を動的に指示しなければならない。このような非周期的方式は、多くない量のデータを間欠的にＵＥ間に交換しようとする場合、又はＵＥ間で直接通信を行う途中にチャネルに急激な変化が発生し、再びディスカバリー過程を行わなければならない場合などに有用である。
【００４８】
以下では、ｅＮＢが特定のサブフレームをディスカバリー信号送信の用途に周期的に割り当てたと仮定する。
【００４９】
図７は、本発明の実施例によってディスカバリー信号送信の用途に周期的に割り当てられたリソースの例を示す図である。
【００５０】
図７を参照すると、各ＵＥが送信するディスカバリー信号は、一部或いは全ての領域で重なることがある。各ＵＥが送信するディスカバリー信号は、ＵＥ ＩＤなどの情報ビット（ｉｎｆｏｒｍａｔｉｏｎ  ｂｉｔ）がチャネルコーディングによって生成されたコードワードの形態で表されてもよく、或いはＵＥ識別子（ＩＤ）などの情報ビットから事前に定められた規則によって誘導される擬似ランダムシーケンス（ｐｓｅｕｄｏ  ｒａｎｄｏｍ  ｓｅｑｕｅｎｃｅ）の形態で表されてもよい。
【００５１】
図７では、サブフレーム単位にディスカバリー動作が行われ、ディスカバリーサブフレームが均一に分布すると仮定したが、本発明の適用はこれに限定されない。
【００５２】
図８は、本発明の実施例によってディスカバリー信号送信の用途に周期的に割り当てられたリソースの他の例を示す図である。図８を参照すると、複数のディスカバリーサブフレームが連続して現れ、このように連続して現れるパターンが一定の周期を有することができる。そのために、ｅＮＢは、ディスカバリーサブフレームが現れる周期、オフセット及び連続割当回数などに関する情報をＵＥにシグナルすることができる。
【００５３】
図９は、本発明の実施例によって一つのディスカバリーサブフレームの時間領域を複数のディスカバリーパートに分割した例を示す図である。
【００５４】
図９を参照すると、一つのディスカバリーサブフレームの時間領域を複数のディスカバリーパートに分割し、各ディスカバリーパート単位にディスカバリー信号の送受信が行われてもよい。特に、ディスカバリーパートは、ＬＴＥシステムのスロット単位と一致し、一つのサブフレームに二つのディスカバリーパートが存在するように設定されてもよい。
【００５５】
以下では、サブフレーム単位にディスカバリー信号の送受信動作が行われるとして本発明の動作を説明する。もし、図９のように単一ディスカバリーサブフレーム内に複数のディスカバリーパートが存在すると、本発明の動作は、ディスカバリーパート単位に送受信動作が行われる場合に変更されて適用されてもよい。
【００５６】
一般に、ＵＥは、自身の送信信号が受信信号に非常に大きい干渉として現れるため、同一の周波数帯域で同時に送受信を行うことができない。そのため、特定ＵＥが特定サブフレームでディスカバリー信号を送信していると、当該サブフレームで共に送信される他のＵＥのディスカバリー信号を受信することができない。
【００５７】
特定ＵＥが自身のディスカバリー信号を送信しながら他のＵＥのディスカバリー信号を受信するには、全体ディスカバリーサブフレームを二つのサブセットに分割し、一つのサブセットではディスカバリー信号の送信動作を、もう一つのサブセットではディスカバリー信号の受信動作を行わなければならない。この場合、特定ＵＥがディスカバリー信号を送信するサブセットが他のＵＥがディスカバリー信号を送信するサブセットと一致すると、両ＵＥは互いのディスカバリー信号を検出する機会を得ることができず、その結果として、両ＵＥ間の直接通信の可否を判別することが不可能になる。
【００５８】
このような問題を解決するために、本発明では、ディスカバリー信号の送信リソースとして指定された領域で各ＵＥが自身のディスカバリー信号を送信するか或いは他のＵＥのディスカバリー信号を受信するかをランダムに決定することによって、互いに異なるＵＥがディスカバリー信号の送受信を同一に設定する場合が発生しないように動作することを提案する。
【００５９】
図１０は、本発明の実施例によって複数のＵＥにディスカバリー信号の送受信時点をランダムに割り当てた例を示す図である。図１０を参照すると、３個のＵＥがランダムに送受信動作を行うことによって、全てのＵＥが他のＵＥの信号を受信できる時点が少なくとも一回は存在することがわかる。
【００６０】
より具体的には、ＵＥごとにランダムにディスカバリー信号送受信を決定する動作であって、各ＵＥは、毎ディスカバリーサブフレームでランダムなイベントを発生させ、Ｐの確率で送信動作を、（１−Ｐ）の確率で受信動作を行うことができる。ここで使用する確率値Ｐは、ｅＮＢが決定して知らせることができ、好ましくは、ディスカバリーサブフレームを指定するメッセージと共に端末ディスカバリーに参加するＵＥに放送することができる。
【００６１】
また、上記の確率値Ｐは、端末ディスカバリーに参加するＵＥの数によって変更可能としてもよい。一例として、少ない数のＵＥが参加すると、各ＵＥが受信すべきディスカバリー信号の個数も少ないはずであるため、より多いサブフレームでディスカバリー信号の送信を行って端末ディスカバリーを早期に終えることが有利である。多い数のＵＥが参加すると、各ＵＥが受信すべきディスカバリー信号の個数が多いはずであるため、所望のＵＥを全て一定時間内に発見するには、より多いサブフレームでディスカバリー信号の受信動作を行わなければならない。
【００６２】
また、ＵＥが端末ディスカバリーを通して行うサービスの種類によって異なる確率値が与えられてもよい。一例として、近接している不特定多数のＵＥに広告などのメッセージを送信するＵＥであれば、他のＵＥのディスカバリー信号を受信する必要性は低く、自身のディスカバリー信号を送信することがより重要である。そのため、上記確率Ｐが相対的に高い方が好ましい。一方、特定のＵＥと一対一通信を行おうとするＵＥは、自身のディスカバリー信号を送信することだけでなく、対象となるＵＥの信号を受信することも重要であるため、上記確率Ｐが相対的に低いことが好ましい。そのために、端末ディスカバリーに参加するＵＥは、サービスタイプやＵＥ ＩＤなどによって複数のグループに分割し、各グループで使用する確率値Ｐを別々に設定することができる。特に、他のＵＥからの信号は受信せず、自身の信号のみを放送するＵＥの場合は、他のＵＥのディスカバリー信号を受信する必要がないことがあり、この種のＵＥには上記確率値Ｐが１に設定されてもよい。
【００６３】
一方、上述の確率値Ｐは、送受信動作の選択によって変更可能としてもよい。例えば、特定ＵＥが特定ディスカバリーサブフレームで送信動作を行ったとすれば、その次のディスカバリーサブフレームではより高い確率で受信動作を行うことが、すなわち、送信動作を行う確率を減らすことが、当該ＵＥが他のＵＥを検出する時間を減らすのに役立つだろう。
【００６４】
したがって、ｎ番目のディスカバリーサブフレームで使用する確率値がＰ(ｎ)と与えられるとき、ｎ番目のディスカバリーサブフレームで送信動作を行った以降には確率値Ｐを、Ｐ(ｎ＋１)＝Ｐ(ｎ)×ａ（但し、０＜ａ＜１）或いはＰ(ｎ＋１)＝Ｐ(ｎ)＋ａ（但し、ａ＜０）のように更新し、（ｎ＋１）番目のディスカバリーサブフレームでの送受信動作を決定することができる。同様に、ｎ番目のディスカバリーサブフレームで受信動作を行った場合は、（ｎ＋１）番目のサブフレームでは送信を行うことが他のＵＥの検出に役立つはずであり、Ｐ(ｎ＋１)＝Ｐ(ｎ)×ｂ（但し、ｂ＞１）或いはＰ(ｎ＋１)＝Ｐ(ｎ)＋ｂ（但し、ｂ＞０）のような形態に更新することができる。
【００６５】
上記更新された確率値Ｐが過度に大きくなったり小さくなることを防止するために、上限及び／又は下限を与えることもできる。
【００６６】
上述した動作によって送受信を決定すると、複数のディスカバリーサブフレームで連続して送信或いは受信の動作を行う場合が発生し、端末ディスカバリーのレイテンシ（ｌａｔｅｎｃｙ）が増加する等の問題が生じうる。これを防止するために、連続したディスカバリー信号の送信或いは受信に対する上限値を定義することができる。一例として、特定ＵＥがＮT個のディスカバリーサブフレームで連続して送信を行った場合は、その次のディスカバリーサブフレームでは上記確率に関係なく受信動作を行うようにする。
【００６７】
同様に、特定ＵＥがＮR個のディスカバリーサブフレームで連続して受信を行った場合は、その次のディスカバリーサブフレームでは上記確率に関係なく送信動作を行うようにする。上記のＮT及びＮRのような値はｅＮＢでシグナルすることができる。
【００６８】
他の方式としては、各ＵＥは連続したディスカバリーサブフレームＮ個内で一定回数以上のディスカバリー信号送信或いは受信動作を行うように規定されてもよい。一例として、各ＵＥはＮ個の連続したディスカバリーサブフレームのうち少なくとも１箇所では送信動作を行うように規定されてもよい。
【００６９】
ＵＥごとにランダムにディスカバリー信号送受信を決定する動作の他の例として、各ＵＥは、ＵＥ ＩＤやサービスタイプなどによって決定される０と１で構成された擬似ランダムシーケンスを生成し、当該シーケンスのｎ番目の数字が０であれば送信（或いは受信）を、１であれば受信（或いは送信）を行うことができる。例えば、擬似ランダムシーケンスが［１０１１０］と与えられた場合、当該ＵＥは一番目、三番目、四番目のディスカバリーサブフレームではディスカバリー信号の受信を、二番目と五番目のディスカバリーサブフレームではディスカバリー信号の送信を行う。
【００７０】
このような動作を行うに当たって、ＵＥは、特定の基準時点をおき、該基準時点から現れるディスカバリーサブフレームに順次に上記擬似ランダムシーケンスを適用してディスカバリー信号の送受信動作を決定することができる。特に、上記基準時点は、システムフレーム番号（ｓｙｓｔｅｍ  ｆｒａｍｅ  ｎｕｍｂｅｒ）が０となる無線フレーム（ｒａｄｉｏ  ｆｒａｍｅ）の最初のサブフレームと指定することができる。
【００７１】
その変形として、ＵＥは、一つの基準擬似ランダムシーケンスを有する場合、この基準シーケンスを、ＵＥ ＩＤ、サービス種類及びセルＩＤなどによって決定されるオフセットだけ遷移（ｓｈｉｆｔ）させて得られたシーケンスに基づき、各ディスカバリーサブフレームにおけるディスカバリー信号の送受信を決定することもできる。もちろん、ｅＮＢはいかなる基準シーケンスが用いられるかをシグナルすることができる。
【００７２】
上述した実施例に係る動作でも、特定ＵＥが連続して送信動作又は受信動作のいずれか一方のみを行うことは好ましくない。これを防止するために、あるＵＥが連続してディスカバリー信号の送信を行うディスカバリーサブフレームの個数や連続してディスカバリー信号の受信を行うディスカバリーサブフレームの個数に上限を与えてもよい。
【００７３】
一例として、特定ＵＥがＮT個のディスカバリーサブフレームで連続してディスカバリー信号の送信を行った場合には、その次のディスカバリーサブフレームでは上記擬似ランダムシーケンスに関係なくディスカバリー信号の受信動作を行うようにする。同様に、特定ＵＥがＮR個のディスカバリーサブフレームで連続してディスカバリー信号の受信を行った場合は、その次のディスカバリーサブフレームでは上記擬似ランダムシーケンスに関係なくディスカバリー信号の送信動作を行うようにする。上記のＮT及びＮRのような値は、ｅＮＢでシグナルすることができる。或いは、上記擬似ランダムシーケンスを生成する時点で一定個数の０や１が反復して現れると、その次のシーケンス値は反対の値が現れるように設定されてもよい。
【００７４】
さらに、上記擬似ランダムシーケンスを生成するに当たっても、各ＵＥの送受信動作確率をｅＮＢで調節することができる。具体的には、ｅＮＢが上述の確率ＰのようなパラメータをＵＥに伝達し、このパラメータを上記擬似ランダムシーケンスを生成する入力値として用いるが、このとき、Ｐ値が高いほど、より多い０が生成されるように、すなわち、より多いディスカバリーサブフレームでディスカバリー信号の送信動作を行うようにシーケンス生成器（ｇｅｎｅｒａｔｏｒ）を構成することができる。
【００７５】
上記ディスカバリー信号の送受信動作の選択のうち、ディスカバリー信号の送信動作は、他のＵＥが迅速に当該ＵＥを発見できるようにすることによって、バッテリー消耗を減らすことに主な目的がある。そのため、特定ディスカバリーサブフレームでディスカバリー信号の送信動作を規定する場合、当該ＵＥが必ず自身のディスカバリー信号を送信するように規定することができる。一方、他のＵＥのディスカバリー信号を受信する動作は、各ＵＥが使用するサービスの種類などによってその必要性が異なることがあり、必ずディスカバリー信号の受信動作を行う必要がない場合もある。
【００７６】
例えば、特定ＵＥが特定ディスカバリーサブフレームでディスカバリー信号の受信動作を行うように決定されたが、既に所望のＵＥを発見した場合のように、当該ＵＥが他のＵＥのディスカバリー信号を受信する必要がないと、ディスカバリー信号受信動作を行わないことで自身のバッテリー消耗を減らしてもよく、或いは他のＵＥが自身をより迅速に発見できるように自身のディスカバリー信号を送信するように動作してもよい。
【００７７】
換言すれば、ＵＥがディスカバリー信号を送信するように決定された場合には必ず送信動作を行わなければならないが、他のＵＥのディスカバリー信号を受信するように決定された場合は、ディスカバリー信号を受信するために当該サブフレームを使用できるという意味に過ぎず、実際にＵＥが行う動作には制約がないように規定することができる。すなわち、上述したディスカバリー信号送信サブフレームは、各ＵＥがディスカバリー信号を送信しなければならない最小限のサブフレームと解釈することができる。
【００７８】
また、図９で説明した通り、一つのサブフレームが複数のディスカバリーパートに分割される場合、ＵＥは、上述した実施例を各ディスカバリーパートごとに適用することができる。すなわち、各ディスカバリーパートごとに一定の確率でディスカバリー信号の送信／受信を決定したり、特定のシーケンスによって各ディスカバリーパートでディスカバリー信号の送信／受信を決定することができる。
【００７９】
或いは、各サブフレームで少なくとも一回ディスカバリー信号の送信を行うか否かを一定の確率又は特定のシーケンスによって決定すると共に、ディスカバリー信号の送信を行うように決定されたサブフレーム内の各ディスカバリーパートでさらにディスカバリー信号の送信或いは受信を一定の規則に従って行うこともできる。
【００８０】
すなわち、特定の第１のＵＥが特定サブフレームでディスカバリー信号を送信するように決定された場合、当該第１のＵＥは当該サブフレーム内の一部のディスカバリーパートでのみディスカバリー信号を送信する。もし、第２のＵＥが当該サブフレームでディスカバリー信号を送信するように決定された場合は、第２のＵＥがディスカバリー信号を送信するディスカバリーパートは、第１のＵＥのディスカバリーパートと少なくとも１箇所では異なるようにすることができる。これは、両ＵＥが一つのサブフレーム内の異なった時点でディスカバリー信号を送信することによってお互いを発見できるようにするためである。第３のＵＥが当該サブフレームでディスカバリー信号を送信しないように決定された場合は、第３のＵＥは当該サブフレームでディスカバリー信号受信動作のみを行うため、他のＵＥを迅速に発見することが可能になる。
【００８１】
このように、ディスカバリーサブフレームとディスカバリーパートといった二重的な構造によれば、一つのディスカバリーサブフレームで共通に送信を行う一連のＵＥグループが生成される。
【００８２】
図１１は、本発明の実施例によってディスカバリーサブフレーム及びディスカバリーパートで構成される二重リソース構造を例示する図である。
【００８３】
図１１を参照すると、時間領域で４個のディスカバリーサブフレームが定義されており、全体ＵＥを４個のＵＥグループに分割し、各グループでは一つのディスカバリーサブフレームにおける信号送信を行うことがわかる。このような場合、特定ディスカバリーサブフレームで特定ＵＥグループがディスカバリー信号を送信すると、残り３個のＵＥグループでは受信動作のみを行うから、当該送信ＵＥグループ内の全ＵＥのディスカバリー信号を検出することが可能になる。同一ＵＥグループ間のディスカバリー信号検出は、互いに異なるＵＥが少なくても一つのディスカバリーパートで送信を行うことによってなる。
【００８４】
このようなディスカバリーサブフレームとディスカバリーパートの二重構造は、特に、端末間直接通信を行うＵＥの個数によって全体ディスカバリーリソースを流動的に調節できるという長所がある。一例として、Ｔ時間ごとに一回のディスカバリーサブフレームを構成できる場合、端末間直接通信を行うＵＥの個数が少ないため一つのディスカバリーサブフレームでも十分であれば、全体ＵＥグループ個数を一つに設定することができる。そのため、全てのＵＥが同一のディスカバリーサブフレームでディスカバリー信号を送信するように動作でき、この場合、単一ディスカバリーサブフレーム内で各ＵＥの送信ディスカバリーパートを適切に決定することによって、Ｔ時間以内に全てのＵＥを発見する機会ができる。
【００８５】
一方、端末間直接通信を行うＵＥの個数が多いため、一つのディスカバリーサブフレームでは足りないと、ＵＥをＬ個のＵＥグループに分割し、各ＵＥグループがＬ×Ｔ時間に一回ずつディスカバリー信号を送信するように動作でき、この場合、全てのＵＥを発見するためにかかる時間は増加する。勿論、上述した方式によって各サブフレームでＵＥグループがディスカバリー信号を送信するか否かは、確率的に定められてもよく、ＵＥグループＩＤから決定される特定のシーケンスの形態を表してもよい。
【００８６】
このような流動的な動作のために、ｅＮＢは、システム情報（ｓｙｓｔｅｍ  ｉｎｆｏｒｍａｔｉｏｎ）或いはＲＲＣのような上位層信号を用いて全体ＵＥグループの個数を知らせることができる。これは、各ＵＥグループが交互に一つのディスカバリーサブフレームを占めながら一回ずつディスカバリー信号を送信する場合には、各ＵＥにとっていくつのディスカバリーサブフレームに一回ずつディスカバリー信号を送信できるかを知らせることに相当する。また、各ＵＥは、事前に定められた規則によって自身がどのＵＥグループに属するかが把握できなければならないが、一例として、自身のＩＤをＵＥグループの個数で割った余りを、自身の現在属するＵＥグループのインデックスと見なすことができる。この場合、特定ＵＥを発見しようとするＵＥは、当該ＵＥの属しているＵＥグループのＩＤ及び当該ＵＥがディスカバリー信号を送信するディスカバリーサブフレームの位置を把握でき、当該ディスカバリーサブフレームでのみディスカバリー信号の検出を試みればいいため、バッテリーをより效率的に使用することが可能になる。
【００８７】
【数２】
0006352255.tif 000003
【００８８】
より具体的には、下記の式１のように、ＵＥ ＩＤをパラメータＹｍに変換することができる。また、パラメータＹｍをＬで割った余りをＵＥグループインデックスとすることができる。下記の式１で、ＡとＤは、事前に定められた定数値である。
【００８９】
【数３】
0006352255.tif 000004
【００９０】
上述したディスカバリーサブフレームとディスカバリーパートの二重構造において特定ＵＥが特定サブフレームでディスカバリー信号を送信するように設定された場合には、一定確率によって或いはＵＥのＩＤなどから決定されるシーケンスによって、各ディスカバリーパートでの送信を行うか否かを決定することができる。また、一つのディスカバリーパートにおいても、周波数やコードなどのリソース分割がなされる場合、あるリソースを用いてディスカバリー信号の送信を行うか否かも、一定確率によって或いはＵＥのＩＤなどから決定されるシーケンスによって決定することができる。
【００９１】
このような二重構造は、ディスカバリーサブフレームグループ及びディスカバリーサブフレームで構成されてもよい。すなわち、一つのＵＥグループが一つのサブフレームグループで送信を行うが、そのグループ内では互いに異なるＵＥが互いに異なるサブフレームで送信を行う形態で具現されてもよい。
【００９２】
以上で説明した動作は、複数のサブフレームをまとめて一つのディスカバリーフレームとし、さらに一つのディスカバリーフレームを複数のディスカバリーパートに分割する場合にも、当該ディスカバリーフレーム単位或いはディスカバリーパート単位にＵＥが送信を行うか否かを決定する動作にも適用可能である。
【００９３】
ＵＥ ＩＤを時間によって変化するパラメータＹｍに変換し、これに基づき、ディスカバリー信号を送受信するか否かを決定する動作は、ＵＥグループインデックスを計算する場合だけでなく、その他の目的、すなわち、ディスカバリー信号送信リソースの位置（例えば、複数のディスカバリー信号が周波数領域で分離される場合、周波数領域での位置、或いは複数のディスカバリー信号が同一周波数領域でシーケンスによって区別される場合にはシーケンスの種類を示すインデックス）やディスカバリー信号を送信するか否かを決定するシーケンスを定めるパラメータとして活用できる。
【００９４】
また、時間を示すインデックスｍも、パラメータＹｍが変化する時間単位のインデックスを意味し、それに合わせて、ディスカバリーパートインデックス、サブフレームインデックス、無線フレームインデックス、或いは複数のディスカバリーパート、サブフレーム、無線フレームを一つにまとめた時間単位のインデックスなどに変更可能である。一例として、ＵＥがディスカバリー信号を送信するリソースの位置或いは各時点で送信を行うか否かを、パラメータＹｍから決定されるシーケンスによって決定する場合、ｍは、当該シーケンスがｍ番目に反復される時点を意味し、シーケンスが終了すると、ｍをｍ+１に更新し、再びパラメータＹｍ及びそれによるシーケンスを決定することによって、使用するリソースの位置或いは各時点で送信を行うか否かを、以前シーケンス周期とは異なるように設定する。これによって、単一ＵＥが送信するディスカバリー信号の送信リソースの位置及び送信時点を時間によって可変させることによって、意図しない同一のリソース／時点で反復的に送信することになる問題を防止することができる。
【００９５】
また、ＵＥ ＩＤを時間によって変化するパラメータＹｍに変換し、これに基づいてディスカバリー信号の送受信を行うか否かを決定する動作は、各ＵＥが特定時点で一つの送信リソースのみを用いるように規定されてもよい。
【００９６】
図１２は、本発明の実施例によってディスカバリー信号の送信動作を行う例を示す図である。特に、図１２で、ディスカバリーラウンド（ｒｏｕｎｄ）は、一つ以上のディスカバリー信号送信可能時点で構成された一連の時間領域を意味し、一つのディスカバリーラウンドで一つのＵＥは事前に指定された４回の時点で送信を行うと仮定した。
【００９７】
図１２の（ａ）では、ＵＥ ＩＤからディスカバリー信号送信リソースの位置を決定し、毎ディスカバリーラウンドに同一位置で送信を行うが、図１２の（ｂ）では、Ｙｍによって送信リソースの位置を決定することから、次のディスカバリーラウンドで送信するリソースの位置が変化する。ここで、ｍは、ＵＥディスカバリーラウンドのインデックスと定義できる。すなわち、送信リソースの位置を決定するパラメータＹｍが毎ディスカバリーラウンドのインデックス値によって変わるため、同一のＵＥ ＩＤから送信リソースの位置を決定する場合にも、実際に決定された送信リソースの位置はディスカバリーラウンドによって変化する。
【００９８】
図１２では、一つのディスカバリーラウンド内で特定ＵＥが送信する時点のみを示しているが、当該ディスカバリーラウンド内では当該特定ＵＥがディスカバリー信号を送信しない時点、すなわち、他のＵＥのディスカバリー信号を受信する時点も存在できる。また、一つのディスカバリーラウンド内で特定ＵＥがディスカバリー信号を送信する時点は、ディスカバリーラウンドインデックスによって変わってもよい。すなわち、図１２で、一番目のディスカバリーラウンドにおける４個の送信時点と二番目のディスカバリーラウンドにおける４個の送信時点とが異なってもよい。
【００９９】
或いは、ＵＥ ＩＤを時間によって変化するパラメータＹｍに変換し、これに基づいてディスカバリー信号の送受信を行うか否かを決定する場合に、各ＵＥは、特定時点で複数の送信リソースから適切な一つを選択して使用するように規定されてもよい。
【０１００】
図１３は、本発明の実施例によってディスカバリー信号の送信動作を行う他の例を示す図である。
【０１０１】
図１３の（ａ）の送信時点（ｔｒａｎｓｍｉｔ  ｉｎｓｔａｎｃｅ）＃０を参照すると、リソース（ｒｅｓｏｕｒｃｅ）＃０とリソース＃１といった２つのリソースがＵＥのディスカバリー信号送信候補と決定され、当該ＵＥは、適切な一つのリソースを選択して自身のディスカバリー信号を送信することができる。図１３では、説明の便宜のために、リソース＃１を選択したと仮定する。
【０１０２】
このような、ＵＥがディスカバリー信号を送信できるリソース候補は、図１３の（ａ）に示すように、一つのディスカバリーラウンド内でその位置を移しながら、ディスカバリーラウンドごとに反復されるパターンを有することができる。或いは、図１３の（ｂ）に示すように、互いに異なるディスカバリーラウンドでは互いに異なるリソースに位置するように設定されてもよい。
【０１０３】
ＵＥは毎送信時点ごとに複数の候補から一つのリソースを選択してディスカバリー信号を送信するが、その基準としては、最も干渉レベルの低い候補を選択するか、一定レベル以下の干渉が観察された候補から一つを任意に選択する等の動作が可能である。また、一つのディスカバリー信号送信時点で現れる複数の候補は、連続して配置されてもよく、或いは可能な限り最大限に離隔しているリソースから一つを選択するために、全体リソース領域で複数の候補が均一に分散するように一定の間隔で配置されてもよい。
【０１０４】
例えば、Ｒ個のリソースに対してＭ個の候補を均一に分散しようとする場合、ｉ番目の候補の位置は、次の式２のように表現することができる。
【０１０５】
【数４】
0006352255.tif 000005
【０１０６】
上記の式２で、ａは、候補の位置を決定するパラメータであって、事前に一定の規則によって導出することができる。
【０１０７】
以下では、ＵＥ ＩＤ或いはそれから導出されたパラメータによって各ディスカバリー信号送受信時点で送信を行うか否かを決定するシーケンスを生成する具体的な例を説明する。ただし、説明の便宜のために、一つのディスカバリーサブフレームは、図９に示したように複数のディスカバリーパートに分割されたと仮定する。
【０１０８】
そして、図１２で説明した通り、複数のディスカバリーサブフレームをまとめて一つのディスカバリーラウンドを形成すると仮定する。特に、一つのディスカバリーサブフレームは０からＮ-１までのインデックスを有するＮ個のディスカバリーパートで構成され、一つのＵＥは一つのディスカバリーサブフレームではＮ個のうち一つのディスカバリーパートで信号を送信すると仮定する。また、一つのディスカバリーラウンドはＫ個のディスカバリーサブフレームで構成されると仮定し、ディスカバリーサブフレームにおけるディスカバリーパートの個数に合わせるために、Ｋ＝Ｎと定義してもよい。
【０１０９】
このような仮定下で、ＵＥグループをＬ個形成した場合、同一ＵＥグループに属するＵＥは、一つのディスカバリーラウンド内では同一のディスカバリー信号送信シーケンスを有する。ＵＥの属するＵＥグループのインデックスは、ＵＥ ＩＤから誘導されてもよく、或いは上述したパラメータＹｍから誘導されてもよい。この場合、ｍは、ディスカバリーラウンドのインデックスを表す。
【０１１０】
一例として、ＵＥグループインデックスｌは、ＵＥ ＩＤやＹｍをＵＥグループの個数Ｌで割った余りと与えることができる。他の一例として、ＵＥ ＩＤやＹｍが設定される数字の領域が０からＱ-１までであるとするとき、連続する数字Ｑ／Ｌ個を同一のＵＥグループに置いてもよい。具体的には、ＵＥグループインデックスｌは、下記の式３のように表現できる。
【０１１１】
【数５】
0006352255.tif 000006
【０１１２】
上記の式３で、Ｙｍに代えてＵＥ ＩＤ値を入力してもよく、Ｑ／Ｌが整数にならない場合、床関数や天井関数を取り、この値でＹｍ又はＵＥ ＩＤ値を割った後、切り捨て値を取ってもよい。その他にも様々な方法でＵＥ ＩＤやＹｍのようなパラメータからＵＥグループインデックスを導出してＵＥグループを形成してもよい。
【０１１３】
【数６】
0006352255.tif 000007
【０１１４】
この過程によって、Ｌ個のＵＥグループが一番目のディスカバリーサブフレームにあるＮ個のディスカバリーパートに均一に分布してディスカバリー信号を１回送信し、各ＵＥは、自身と共に送信したＵＥグループを除く残りＵＥグループの信号を１回ずつ受信することが可能になる。
【０１１５】
図１４は、本発明の実施例によってディスカバリー信号を送信する方法を説明する図である。特に、図１４は、ＵＥグループが２０個存在し、ＵＥグループをＮ＝５個の集合とし、一番目のディスカバリーサブフレームにおける動作を示す図である。
【０１１６】
図１４で、四角形中の各数字は、当該ディスカバリーパートでディスカバリー信号を送信するＵＥグループのインデックスを意味する。すなわち、ディスカバリーパート＃０ではＵＥグループ＃０、ＵＥグループ＃１、ＵＥグループ＃２及びＵＥグループ＃３が共にディスカバリー信号を送信することがわかる。
【０１１７】
また、次のディスカバリーサブフレームで各ＵＥグループは、ディスカバリー信号を送信するディスカバリーパートのインデックスを変更し、以前のディスカバリーサブフレームで同時に送信したＵＥグループとは異なる時点に送信するように動作する。この過程によって、同時にディスカバリー信号を送信することから、お互いのディスカバリー信号を受信することができなかった他のＵＥグループのディスカバリー信号を受信する機会ができる。特に、特定ディスカバリーサブフレームでディスカバリー信号の送信に使用するディスカバリーパートの位置は、以前のディスカバリーサブフレームでディスカバリー信号の送信に使用した位置からＵＥグループインデックスの関数で与えられる値だけ移動した位置を使用することによって、互いに異なるＵＥグループが互いに異なる位置でディスカバリー信号を送信することができる。
【０１１８】
図１５は、本発明の実施例によってディスカバリー信号を送信する方法を説明する他の図である。特に、図１５は、図１４の次のディスカバリーサブフレームで各ＵＥグループが信号を送信するディスカバリーパートを示している。
【０１１９】
図１５を参照すると、次のディスカバリーサブフレームでディスカバリー信号を送信するディスカバリーパートの位置を、ＵＥグループインデックス＃ｌをＲで割った余りだけ移動したことがわかり、ここで、パラメータＲ＝Ｌ／Ｎは、ディスカバリーパートで同時に送信するＵＥグループの個数を示す。パラメータＲは、一つのディスカバリーパートで同時に送信するＵＥグループの個数を調節する目的に、ｅＮＢが適切に調節してＲＲＣ層シグナリング又はシステム情報などを通してＵＥに伝達することができる。
【０１２０】
特に、一つのディスカバリーパートで同時にディスカバリー信号を送信するＲ個のＵＥグループは、次のディスカバリーサブフレームのＮ個のディスカバリーパートを互いに排他的に占有することによって、相互間の信号を受信することが可能になる。したがって、ＲをＮと固定する方法も可能である。
【０１２１】
図１５で、以前のディスカバリーサブフレームでディスカバリーパート＃ｎを用いて送信したＵＥグループ＃ｌの場合、当該ディスカバリーサブフレームで使用するディスカバリーパートのインデックスは、下記の式４のように示すことができる。
【０１２２】
【数７】
0006352255.tif 000008
【０１２３】
図１５は、図１４の次のディスカバリーサブフレームで各ＵＥグループが信号を送信するディスカバリーパートを示すもので、このようなディスカバリーパートの移動の結果、ディスカバリーサブフレーム＃１では、ディスカバリーパート＃０で送信するＵＥグループのインデックスが０、１７、１４、１１に変わったことがわかる。したがって、ディスカバリーサブフレーム＃０において同一ディスカバリーパートで送信したＵＥグループは、ディスカバリーサブフレーム＃１では互いに異なる位置で送信するようになる。このような動作を複数のディスカバリーサブフレームで反復することができる。
【０１２４】
図１６は、本発明の実施例によってディスカバリー信号を送信する方法を説明する更に他の図である。特に、図１６は、ディスカバリーサブフレーム＃２、＃３及び＃４における動作を示している。
【０１２５】
図１６を参照すると、Ｎ個のディスカバリーサブフレームを経ると再び一番目のディスカバリーサブフレームと同一の送信シーケンスを有するため、一つのディスカバリーラウンドをＮ個のディスカバリーサブフレームと定義することができる。
【０１２６】
以上の動作をまとめると、ＵＥグループ＃ｌがディスカバリーサブフレーム＃ｋで送信するディスカバリーパートインデックス＃ｎは、下記の式５のように表現できる。
【０１２７】
【数８】
0006352255.tif 000009
【０１２８】
式５で、Ｒ＝Ｌ／Ｎは、一つのディスカバリーパートで同時に送信するＵＥグループの個数を表すパラメータである。
【０１２９】
また、ディスカバリーサブフレームのインデックス＃ｋとディスカバリーパートのインデックス＃ｎを結合して一つのインデックスｎ’＝Ｎ・ｋ+ｎ（但し、ｎ’＝０，１、．．．．、Ｋ・Ｎ）を定義すると、ＵＥグループ＃ｌがディスカバリー信号を送信する時点は、下記の式６のように表現できる。
【０１３０】
【数９】
0006352255.tif 000010
【０１３１】
上述した内容を、０と１で構成されるバイナリシーケンスで説明すると、ディスカバリーパートインデックス＃ｎ’では１であり、残りでは０となるシーケンスが現れ、当該シーケンス値が１に該当するディスカバリーパートで信号を送信する形態で動作できる。
【０１３２】
【数１０】
0006352255.tif 000011
【０１３３】
【数１１】
0006352255.tif 000012
【０１３４】
この動作をより一般化すると、ディスカバリーサブフレームのインデックス＃ｋとディスカバリーパートインデックス＃ｎを結合して一つのインデックスｎ’＝Ｎ・ｋ+ｎ（但し、ｎ’＝０，１、．．．、Ｋ・Ｎ）を定義すると、ＵＥグループ＃ｌがディスカバリー信号を送信する時点は、下記の式７のように表現できる。
【０１３５】
【数１２】
0006352255.tif 000013
【０１３６】
式７で、Ｒ＝Ｌ／Ｎは、ディスカバリーパートで同時に送信するＵＥグループの個数を表し、ｐ（ｘ）は、Ｎと互いに素となるｘ番目の自然数を示す関数であって、ｐ（０）は０の値を有する。例えば、Ｎが６の場合、ｐ（０）＝０、ｐ（１）＝１、ｐ（２）＝３及びｐ（３）＝５となり、この場合、２及び４はＮ＝６と互いに素でないため、ｐ（ｘ）値から排除された。また、Ｎが９の場合、ｐ（０）＝０、ｐ（１）＝１、ｐ（２）＝２、ｐ（３）＝４、ｐ（４）＝５、ｐ（５）＝７及びｐ（６）＝８となり、Ｎ＝９と互いに素でない３及び６は、ｐ（ｘ）値から排除された。Ｎが素数である場合にはｐ（ｘ）＝ｘと与えられる。
【０１３７】
【数１３】
0006352255.tif 000014
【０１３８】
【数１４】
0006352255.tif 000015
【０１３９】
また、ディスカバリーサブフレームのインデックス＃ｋとディスカバリーパートインデックス＃ｎを結合して一つのインデックスｎ’＝Ｎ・ｋ+ｎを定義すると、ＵＥグループ＃ｌがディスカバリー信号を送信する時点は、下記の式９のように表現できる。
【０１４０】
【数１５】
0006352255.tif 000016
【０１４１】
上記の式９で、ディスカバリーパート位置の移動値ｖ（ｌ、ｋ）も、ＵＥグループの個数Ｌ又は同時に送信するＵＥグループの個数Ｒなどによって決定することができる。
【０１４２】
【数１６】
0006352255.tif 000017
【０１４３】
【数１７】
0006352255.tif 000018
【０１４４】
他の例として、ディスカバリーサブフレーム当たりディスカバリーパートの個数Ｎが２の指数に制限される場合には、ｗ（ｘ）は、奇数のシーケンスで表されてもよく、このときも、Ｎとｗ（ｘ）は常に互いに素となる性質が維持される。ここで、上述した原理によって、０と１は常にディスカバリーサブフレーム当たりディスカバリーパートの個数Ｎと互いに素とされてｗ（ｘ）に含まれてもよい。勿論、ディスカバリーサブフレーム＃０における送信位置も、より一般的な関数の形態ｚ（ｌ）となり得、この場合、ディスカバリー信号を送信する時点は、下記の式１０のように表現できる。
【０１４５】
【数１８】
0006352255.tif 000019
【０１４６】
図１７は、本発明の一実施例に係る通信装置のブロック構成図である。
【０１４７】
図１７を参照すると、通信装置１７００は、プロセッサ１７１０、メモリー１７２０、ＲＦモジュール１７３０、ディスプレイモジュール１７４０、及びユーザインターフェースモジュール１７５０を備えている。
【０１４８】
通信装置１７００は、説明の便宜のために例示されたもので、一部のモジュールは省略されてもよい。また、通信装置１７００は、必要なモジュールをさらに備えてもよい。また、通信装置１７００において、一部のモジュールはより細分化したモジュールにしてもよい。プロセッサ１７１０は、図面を参照して例示した本発明の実施例に係る動作を実行するように構成される。具体的には、プロセッサ１７１０の詳細な動作は、図１乃至図１６に記載された内容を参照されたい。
【０１４９】
メモリー１７２０は、プロセッサ１７１０に接続し、オペレーティングシステム、アプリケーション、プログラムコード、データなどを格納する。ＲＦモジュール１７３０は、プロセッサ１７１０に接続し、基底帯域信号を無線信号に変換したり、無線信号を基底帯域信号に変換する機能を担う。そのために、ＲＦモジュール１７３０は、アナログ変換、増幅、フィルタリング及び周波数アップ変換、又はこれらの逆過程を行う。ディスプレイモジュール１７４０は、プロセッサ１７１０に接続し、様々な情報をディスプレイする。ディスプレイモジュール１７４０は、次に制限されるものではないが、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザインターフェースモジュール１７５０は、プロセッサ１７１０に接続し、キーパッド、タッチスクリーンなどのような周知のユーザインターフェースの組合せで構成することができる。
【０１５０】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部Ｋ構成や特徴は、他の実施例に含まれてもよく、他の実施例の対応する構成又は特徴に取り替わってもよい。特許請求の範囲において明示的な引用関係にない請求項を結合して実施例を構成したり、出願後の補正によって新しい請求項として含めたりしてもよいことは明らかである。
【０１５１】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現では、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１５２】
ファームウェアやソフトウェアによる具現では、本発明の一実施例は、以上で説明された機能又は動作を実行するモジュール、手順、関数などの形態として具現されてもよい。ソフトウェアコードは、メモリーユニットに記憶され、プロセッサにより駆動可能である。メモリーユニットは、プロセッサの内部又は外部に設けられ、公知の様々な手段によってプロセッサとデータを交換することができる。
【０１５３】
本発明は、本発明の特徴から逸脱しない範囲で別の特定の形態に具体化されてもよいことが当業者にとっては自明である。したがって、上記の詳細な説明は、いずれの面においても制限的に解釈してはならず、例示的なものとして考慮しなければならない。本発明の範囲は、添付の請求項の合理的な解釈によって決定しなければならず、本発明の等価的範囲内における変更はいずれも本発明の範囲に含まれる。
【産業上の利用可能性】
【０１５４】
上述のような無線通信システムにおいて端末間直接通信のための端末検出信号送信方法及びそのための装置は、３ＧＰＰ ＬＴＥシステムに適用される例を中心に説明したが、３ＧＰＰ ＬＴＥシステムの他、様々な無線通信システムにも適用することができる。
【図１】
0006352255.tif 000020
【図２】
0006352255.tif 000021
【図３】
0006352255.tif 000022
【図４】
0006352255.tif 000023
【図５】
0006352255.tif 000024
【図６】
0006352255.tif 000025
【図７】
0006352255.tif 000026
【図８】
0006352255.tif 000027
【図９】
0006352255.tif 000028
【図１０】
0006352255.tif 000029
【図１１】
0006352255.tif 000030
【図１２】
0006352255.tif 000031
【図１３】
0006352255.tif 000032
【図１４】
0006352255.tif 000033
【図１５】
0006352255.tif 000034
【図１６】
0006352255.tif 000035
【図１７】
0006352255.tif 000036